(57)【要約】【課題】  携帯機器の操作部構造を改良することによって、携帯機器をさらに小型化する。【解決手段】  携帯機器の本体に形成した開口に対応した位置にスイッチ回路１４を設ける。操作ボタン４１を開口内に設ける。操作ボタン４１はスイッチ回路１４に対して接離自在である。操作ボタン４１に、スイッチ回路１４に当接してオンオフ操作を行う突起４８を設ける。スイッチ回路１４に干渉しない位置に、操作ボタン４１の接離動作を案内する複数の案内機構２１、２２を設ける。操作ボタン４１を、スイッチ回路１４から離間する方向に付勢するコイルバネをスイッチ回路１４に干渉しない位置に設ける。【選択図】        図２
2005218022.tif 000002
【特許請求の範囲】
【請求項１】
携帯機器の本体に形成された開口内に位置するスイッチ回路をオンオフするための操作部構造であって、
前記開口内に設けられ、前記スイッチ回路に対して接離自在に設けられた操作ボタンと、
前記操作ボタンに形成され、前記スイッチ回路に当接してオンオフ操作を行う突起と、
前記本体内において、前記スイッチ回路の周囲に設けられ、前記操作ボタンの接離動作を案内する複数の案内機構と、
前記操作ボタンを、前記スイッチ回路から離間する方向に付勢する弾性部材と
を備えることを特徴とする携帯機器の操作部構造。
【請求項２】
前記複数の案内機構が、前記スイッチ回路を挟んで対向する位置に設けられることを特徴とする請求項１に記載の操作部構造。
【請求項３】
前記複数の案内機構が、前記スイッチ回路において前記突起が当接する位置を挟んで対称となる位置に設けられることを特徴とする請求項２に記載の操作部構造。
【請求項４】
前記複数の案内機構がそれぞれ、前記本体内に設けられた板部材に形成された案内部材と、前記操作ボタンに形成され、前記案内部材に摺動自在に支持される被案内部材とを備えることを特徴とする請求項１に記載の操作部構造。
【請求項５】
前記被案内部材が、前記操作ボタンが前記弾性部材に付勢されることによって前記本体から外れるのを阻止するための係止爪を備えることを特徴とする請求項４に記載の操作部構造。
【請求項６】
前記被案内部材が、前記板部材に穿設された穴に嵌入可能であることを特徴とする請求項４に記載の操作部構造。
【請求項７】
前記板部材に、前記スイッチ回路が取付けられることを特徴とする請求項４に記載の操作部構造。
【請求項８】
前記案内機構が、前記操作ボタンに形成され、前記案内部材に摺接する切欠を備えることを特徴とする請求項４に記載の操作部構造。
【請求項９】
前記弾性部材がコイルバネであることを特徴とする請求項１に記載の操作部構造。
【請求項１０】
前記コイルバネが前記突起からずれた位置に設けられることを特徴とする請求項９に記載の操作部構造。
【請求項１１】
前記弾性部材が発泡ウレタンであることを特徴とする請求項１に記載の操作部構造。
【請求項１２】
前記弾性部材が、前記複数の案内機構の近傍において、その弾性力が作用する位置に設けられることを特徴とする請求項１に記載の操作部構造。
【請求項１３】
前記弾性部材が複数個設けられることを特徴とする請求項１２に記載の操作部構造。
【発明の詳細な説明】
【技術分野】
【０００１】
本発明は例えばデジタルカメラ等の携帯機器に関し、より詳しくは、携帯機器の操作スイッチ等の構造に関する。
【背景技術】
【０００２】
従来、デジタルカメラ等の携帯機器の本体に形成された開口内に位置するスイッチ回路をオンオフするための操作スイッチとして、操作ボタンが開口内において、スイッチ回路に対して接離自在に設けられたものが知られている。操作ボタンには、スイッチ回路に当接可能な突起が設けられ、操作ボタンを押すことによって突起がスイッチ回路を押下し、オンオフ動作が行われる。
【０００３】
開口には台座が取付けられ、操作ボタンは台座に支持される。スイッチ回路は台座の下方に位置しており、台座には突起が挿入される穴が形成される。また操作ボタンと台座の間には、操作ボタンを上方へ付勢するバネが突起を囲繞するようにして設けられる。すなわち、バネ力に抗して操作ボタンを押すと、スイッチ回路が突起によって押下され、操作ボタンを解放すると、操作ボタンはバネ力によって上方へ復元する。
【０００４】
携帯機器を軽量・小型化する要求に伴い、種々の部品あるいは構造が小型化されているが、操作スイッチについては、突起がスイッチ回路を押下するために一定の長さを必要とし、小型化するには限界があった。
【発明の開示】
【発明が解決しようとする課題】
【０００５】
本発明は、携帯機器の操作部構造を改良することによって、携帯機器をさらに小型化することを可能にすることを目的としている。
【課題を解決するための手段】
【０００６】
本発明に係る携帯機器の操作部構造は、本体の開口内に設けられ、スイッチ回路に対して接離自在に設けられた操作ボタンと、操作ボタンに形成され、スイッチ回路に当接してオンオフ操作を行う突起と、本体内において、スイッチ回路の周囲に設けられ、操作ボタンの接離動作を案内する複数の案内機構と、操作ボタンをスイッチ回路から離間する方向に付勢する弾性部材とを備えることを特徴としている。
【０００７】
複数の案内機構は例えば、スイッチ回路を挟んで対向する位置に設けられる。この場合、複数の案内機構は、スイッチ回路において突起が当接する位置を挟んで対称となる位置に設けられることが好ましい。
【０００８】
複数の案内機構はそれぞれ、本体内に設けられた板部材に形成された案内部材と、操作ボタンに形成され、案内部材に摺動自在に支持される被案内部材とを備えるように構成されることが好ましい。
【０００９】
被案内部材は例えば、操作ボタンが弾性部材に付勢されることによって本体から外れるのを阻止するための係止爪を備える。被案内部材は、板部材に穿設された穴に嵌入可能であることが好ましい。また板部材には、スイッチ回路が取付けられることが好ましい。一方、案内機構は、操作ボタンに形成され、案内部材に摺接する切欠を備えていてもよい。
【００１０】
弾性部材は例えばコイルバネである。コイルバネは、突起からずれた位置に設けられることが好ましい。
【００１１】
弾性部材は例えば発泡ウレタンである。
【００１２】
弾性部材は例えば、複数の案内機構の近傍において、その弾性力が作用する位置に設けられる。この場合弾性部材は複数個設けられることが好ましい。
【発明の効果】
【００１３】
本発明によれば、携帯機器の操作部構造を改良することによって、携帯機器をさらに小型化することが可能になる。
【発明を実施するための最良の形態】
【００１４】
以下、本発明の実施形態を図面を参照して説明する。図１〜３は本発明の第１実施形態を示し、この実施形態において携帯機器はデジタルカメラである。
【００１５】
図１は、デジタルカメラの電池室１０の上方に設けられる操作部を分解して示している。電池室１０は例えば合成樹脂によって成形され、電池室１０には電池Ｂが収容される。電池室１０の上壁である板部材１１には、フレキシブル基板１２にタクトスイッチ１３を取付けて構成されるスイッチ回路１４を取付けるための凹部１５が形成される。凹部１５には、フレキシブル基板１２に穿設された孔１６が嵌合するピン１７が設けられる。
【００１６】
板部材１１の上面であって凹部１５の両側には、後述する案内機構の一部である２組の案内部材２１、２２が設けられる。また各組の案内部材２１、２２の間にはそれぞれ、穴２３、２４が穿設される。
【００１７】
電池室１０の板部材１１の外側には、デジタルカメラの本体（図示せず）が対向しており、この本体には開口（図示せず）が形成される。開口には台座３１が取付けられる。台座３１には、タクトスイッチ１３に対応した窓３２が形成され、窓３２の外側には突状のバネ座３３、３４が形成される。また台座３１において、バネ座３３、３４の外側には案内部材２１、２２が挿通する開口３５、３６が設けられる。
【００１８】
台座３１の中にはスイッチ回路１４をオンオフするための操作ボタン４１が設けられる。台座３１と操作ボタン４１の間には、操作ボタン４１をスイッチ回路１４から離間する方向に付勢する２つのコイルバネ（弾性部材）４２、４３が設けられる。コイルバネ４２、４３の下端部はバネ座３３、３４によって支持される。操作ボタン４１には、２組の案内部材２１、２２に摺動自在に支持される被案内部材４４、４５が形成される。操作ボタン４１において、被案内部材４４、４５の両側には、案内部材２１、２２に摺接する切欠４６、４７が形成される。
【００１９】
操作ボタン４１の上面はキャップ５１によって被覆される。
【００２０】
図２と図３は電池室１０にスイッチ回路１４と操作ボタン４１を組込んだ状態を示し、図４は操作ボタンと第１および第２の案内機構を示している。図２では、台座３１は省略され、また操作ボタン４１は破断されている。図２において、操作ボタン４１は右半分が解放された状態として示され、左半分が押下された状態として示されている。図３と図４において操作ボタン４１は、中心線Ｃよりも右側は解放された状態として示され、左側は押下された状態として示されている。
【００２１】
操作ボタン４１は、デジタルカメラの本体６１に形成された開口６２内に設けられる。電池室１０の板部材１１は本体６１に近接して設けられ、スイッチ回路１４は開口６２内に位置する。操作ボタン４１の下面には、スイッチ回路１４のタクトスイッチ１３に当接してオンオフ操作を行う突起４８が形成される。
【００２２】
図３と図４の右側に示されるように、操作ボタン４１は解放時、コイルバネ４２、４３に付勢されて上昇位置にあり、突起４８はタクトスイッチ１３から離間する。また、この状態では、被案内部材４５の先端に形成された係止爪４５ａが台座３１の下面に係合し、操作ボタン４１が本体６１から外れることが阻止される。これに対し、コイルバネ４２、４３のバネ力に抗して操作ボタン４１を押下すると、図３と図４の左側に示されるように、突起４８がタクトスイッチ１３を押圧する。すなわち、操作ボタン４１はスイッチ回路１４に対して接離自在であり、この接離動作によって、タクトスイッチ１３のオンオフ操作が行われる。
【００２３】
操作ボタン４１の接離動作すなわち上下方向の直進運動は、本体６１内においてスイッチ回路１４に干渉しない位置、すなわちスイッチ回路１４の周囲に設けられた第１および第２の案内機構によって案内される。第１の案内機構は案内部材２１、被案内部材４４、切欠４６によって構成され、第２の案内機構は、案内部材２２、被案内部材４５、切欠４７によって構成される。
【００２４】
図３と図４に示すように第１および第２の案内機構は、スイッチ回路１４において、突起４８によるタクトスイッチ１３の押圧点Ｑに対して対称となる位置に設けられる。すなわち第１および第２の案内機構は、スイッチ回路１４を挟んで互いに対向する位置に配置される。これにより、操作ボタン４１の支持強度が増すだけでなく、操作ボタン４１の案内方向の高精度化が図られ、操作ボタン４１が横長であるにもかかわらず、上下動作が安定する。
【００２５】
コイルバネ４２、４３は、それぞれ被案内部材４４、４５の近傍に設けられ、その弾性力が、第１、第２の案内機構の近傍にて操作ボタン４１の案内方向と平行に作用するようになっている。このように、コイルバネ４２、４３が被案内部材４４、４５の近傍において独立に配置されることにより、操作ボタン４１の案内動作が円滑になるとともに案内の精度が向上し、またコイルバネ４２、４３の小型化、軽量化が図られ、ひいては操作部構造の小型化、軽量化が可能になる。
【００２６】
操作ボタン４１は解放時（図３と図４の右側）、上昇位置にあり、被案内部材４５は、その先端部分が案内部材２２に係合する。また、この時、係止爪４５ａの一部は電池室１０に形成された穴２４の中に位置する。操作ボタン４１を押下すると（図３と図４の左側）、被案内部材４４は案内部材２１に案内されて下降し、穴２３に嵌入する。このとき係止爪４４ａは穴２３の下端部に位置する。また案内部材２１は操作ボタン４１の切欠４６に係合し、案内部材２１の上端は操作ボタン４１の上面の近傍に位置する。
【００２７】
以上のように第１実施形態では、被案内部材４４、４５がそれぞれ案内部材２１、２２に案内されるので、操作ボタン４１の直進運動はスムーズに行われる。また、第１および第２の案内機構とコイルバネ４２、４３はスイッチ回路１４に干渉しない位置に設けられ、被案内部材４４、４５は操作ボタン４１が下降位置にあるときに板部材１１の穴２３、２４に嵌入する。すなわち本体６１は板部材１１に十分に近接した位置にあり、本体６１は極力小型化されている。
【００２８】
第１実施形態において、コイルバネ４２、４３は突起４８からずれた位置にあるが、これに替えて、タクトスイッチ１３の周囲を囲繞するような単一のコイルバネを設けてもよい。すなわちコイルバネはスイッチ回路１４に干渉しなければよい。
【００２９】
図５は第２実施形態を示す図である。第１実施形態との違いは、操作ボタン１４を上方に付勢する弾性部材としてモルト５３を採用した点であり、その他の構成は第１実施形態と同じである。モルト５３は例えば発泡ウレタンであり、操作ボタン４１とバネ座３３、３４によって挟持される。モルト５３には突起４８が貫通する孔が形成され、モルト５３はスイッチ回路１４の真上に位置している。
【００３０】
したがって第２実施形態によっても、第１実施形態と同様な効果が得られる。
【００３１】
なお上記各実施形態は本発明をデジタルカメラに適用した例であったが、本発明はビデオカメラ等の携帯機器にも適用可能である。
【図面の簡単な説明】
【００３２】
【図１】本発明の第１実施形態を適用したデジタルカメラに設けられる操作部を分解して示す斜視図である。
【図２】電池室にスイッチ回路と操作ボタンを組込んだ状態を示す斜視図である。
【図３】電池室にスイッチ回路と操作ボタンを組込んだ状態を示す断面図である。
【図４】操作ボタンと第１および第２の案内機構の構成を示す断面図である。
【図５】第２実施形態を示す断面図である。
【符号の説明】
【００３３】
１０  電池室
１４  スイッチ回路
２１、２２  案内部材
４１  操作ボタン
４２、４３  コイルバネ（弾性部材）
４４、４５  被案内部材
４４ａ、４５ａ  係止爪
４８  突起
５３  モルト（弾性部材）
６２  開口
【図１】
2005218022.tif 000003
【図２】
2005218022.tif 000004
【図３】
2005218022.tif 000005
【図４】
2005218022.tif 000006
【図５】
2005218022.tif 000007